(57)【特許請求の範囲】
【請求項１】
本体部と、該本体部の内側に設けられ、かつ、左右のバストに対応する２つのカップを有し、
汗を吸収することができる吸汗部材を前記本体部の内側に設け、更に、前記吸汗部材を出し入れ可能に収納できる収納部を前記本体部に設け、
前記吸汗部材を、前記収納部から取り出した際に、この吸汗部材の一部が、前記両カップ間の内側に位置することができるように備えたことを特徴とする被服。
【請求項２】
前記本体部が、汗を吸収することができる布地からなることを特徴とする請求項１記載の被服。
【請求項３】
前記本体部の両脇部に、汗を吸収することができる脇吸汗部材を設けたことを特徴とする請求項１又は２記載の被服。
【請求項４】
前記被服が、ハーフトップブラであることを特徴とする請求項１乃至３の何れか１項に記載の被服。
【発明の詳細な説明】
【技術分野】
【０００１】
本発明は、被服に関し、より詳しくは、ブラ付き被服に関する。
【背景技術】
【０００２】
従来、女性の胸の谷間に生じる汗を吸収する汗取りシートとして、被服とは別体の長方形状に形成された吸水性の不織布シートからなるものが知られている。この汗取りシートは、胸の谷間に差し込んで使用することで、胸の汗を吸い取ることができるものである（特許文献１参照）。
【先行技術文献】
【特許文献】
【０００３】
【特許文献１】特開平１１−１３０６２１号公報
【発明の概要】
【発明が解決しようとする課題】
【０００４】
前記従来の汗取りシートは、ブラジャー等の被服とは別体であり、この汗取りシートを胸の谷間に差し込んで使用するため、使用中に汗取りシートがずれたり、落下したりして、胸の谷間の汗を吸収しない虞がある。
【０００５】
また、この汗取りシートが不要な場合には、別途収納する袋等を用意しておく必要がある。
【０００６】
そこで、本発明は、上記問題点を解決した吸汗部材を有する被服を提供することを目的とするものである。
【課題を解決するための手段】
【０００７】
前記の課題を解決するために、請求項１記載の発明は、本体部と、該本体部の内側に設けられ、かつ、左右のバストに対応する２つのカップを有し、
汗を吸収することができる吸汗部材を前記本体部の内側に設け、更に、前記吸汗部材を出し入れ可能に収納できる収納部を前記本体部に設け、
前記吸汗部材を、前記収納部から取り出した際に、この吸汗部材の一部が、前記両カップ間の内側に位置することができるように備えたことを特徴とするものである。
【０００９】
請求項２記載の発明は、請求項１記載の発明において、前記本体部が、汗を吸収することができる布地からなることを特徴とするものである。
【００１０】
請求項３記載の発明は、請求項１又は２記載の発明において、前記本体部の両脇部に、汗を吸収することができる脇吸汗部材を設けたことを特徴とするものである。
【００１１】
請求項４記載の発明は、請求項１乃至３の何れか１項に記載の発明において、前記被服が、ハーフトップブラであることを特徴とするものである。
【発明の効果】
【００１２】
本発明によれば、吸汗部材を、収納部から取り出した際に、少なくとも前記両カップの間で、かつ、その内側に位置することができるようにしたことにより、胸の谷間の汗を吸汗部材で吸収することができ、快適な着心地とすることができる。
【００１３】
また、吸汗部材を、収納部内に出し入れ可能に収納できることにより、汗をかかないときや、吸汗部材が汗を多量に吸っているときなど吸汗部材が不要な場合には、吸汗部材を収納部内に収納することで、吸汗部材が肌に当ることがなく、吸汗部材のゴワ付き感が生じない。また、収納部を、本体部に設けたことにより、前記従来技術のように、被服とは別の収納袋等を用意する必要がない。
【００１４】
また、吸汗部材を本体部に設けたことにより、前記従来技術のように、吸汗部材が、落下してしまう虞がない。
【００１５】
更に、前記吸汗部材を、収納部から取り出した際に、この吸汗部材の一部が、前記両カップ間の内側に位置することができるように備えたことにより、吸汗部材をバストとカップとで挟持することができ、吸汗部材の使用時に、それを胸の谷間からずれることを抑制できる。
【図面の簡単な説明】
【００１６】
【図１】本発明をハーフトップブラに適用した実施例における斜視図。
【図２】吸汗部材を、収納部から取り出した状態の図１のＡ−Ａ線、図４のＤ−Ｄ線の断面図に相当する。
【図３】吸汗部材を、収納部に収納した状態の図１のＡ−Ａ線、図５のＥ−Ｅ線の断面図に相当する。
【図４】図２のＢ−Ｂ線断面図。
【図５】図３のＣ−Ｃ線断面図。
【発明を実施するための形態】
【００１７】
本発明の被服を、ハーフトップブラに適用した図１乃至図５に示す実施例に基づいて説明する。
【００１８】
ハーフトップブラ（被服）１は、図１に示すように、使用者の上半身の胸部と、その胸部の背との全周を覆う、周方向が無端状の筒状に形成された本体部２を有する。該本体部２は、胸部側を覆う前側部材２ａと、背中側を覆う後側部材２ｂとで形成されている。前記前側部材２ａは、前方に膨出する曲面状に形成され、着用した状態において、使用者のバスト全体を覆い、その上端は、胸部上方に位置するように形成されている。
【００１９】
この本体部２は、汗を吸収することができる布地（生地）で形成されている。この布地としては、汗を吸収することができる布地であれば任意の布地を用いることができ、例えば、綿、ポリエステル、レーヨン等の繊維からなる布地を用いることができる。本体部２には、本実施例においては、モダールクールプラス（モリリン（株）社製、繊維配合率：綿６０％、ポリエステル３５％、ポリウレタン５％）を用いた。
【００２０】
前記前側部材２ａの両側部の上部には、図１〜５に示すように、前側から後側に至るほど下側に向う円弧状の切欠部２ｄが形成され、前記後側部材２ｂの両側部の上部には、図１，４，５に示すように、前側から後側に至るほど上側に向う円弧状の切欠部２ｅが形成されている。この前後の切欠部２ｄ，２ｅで、使用者の腕を挿通することができる脇部７が形成されている。また、両切欠部２ｄ，２ｅを、円弧状に形成したことで、脇部７が使用者の脇の下部にフィットするようになっている。
【００２１】
この両脇部７，７には、図１〜５に示すように、汗を吸収することができる脇吸汗部材３，３が縫着されている。該両脇吸汗部材３，３は、その上端が、前側から後側に向うほど、下方に傾斜するように形成され、この上端の前端は、前側部材２ａの切欠部２ｄの上端部に位置し、その下端は、後側部材２ｂの切欠部２ｅの下部中央部に位置するように形成されて、脇吸汗部材３が使用者の脇の下部にフィットするようなっている。該吸汗部材３には、汗を吸収することができる布地であれば任意の布地を用いることができ、例えば、綿、ポリエステル、レーヨン等の繊維からなる布地を用いることができる。本実施例では、脇吸汗部材３に、前記本体部２と同じモダールクールプラスを用いた。
【００２２】
前記本体部２の上部左右には、肩紐４，４が設けられている。また、前記本体部２の下端部の全周に亘ってゴムテープ２ｃが設けられている。
【００２３】
前記前側部材２ａの内側の下部には、図２，３に示すように、土台部５が設けられている。該土台部５の下端部５ａと両端部５ｂ，５ｂが、夫々、前側部材２ａに対して縫着されている。前記土台部５の上部の左右には、左右のバストを被覆して保形するカップ６，６が設けられており、該カップ６，６の下半分は、その端部６ａが土台部５に対して縫着されている。前記右カップ６の右端は、生地片６ｂを介して前記本体部２に対して取付られ、前記左カップ６の左端は、生地片６ｂを介して前記本体部２に対して取付られている。
【００２４】
前記左右のカップ６，６の上縁は前側部材２ａに対して固着されておらず、両カップ６，６及び土台部５と、前側部材２ａとの間１１は、図４、５に示すように、その上方のみが開口するポケット状に形成されている。
【００２５】
前記前側部材２ａの内側には、収納部９が、図４，５に示すように設けられている。該収納部９は、図２，３に示すように、方形状の生地９ａが、その両側端部９ｂ，９ｂと下端部９ｃを、前側部材２ａ対して縫着し、上端９ｄは縫着しない状態で設けられて、その上方のみが開口するポケット状に形成されている。前記生地９ａは、前記本体部２と同じ生地で形成されている。
【００２６】
前記前側部材２ａの内側には、汗を吸収することができる吸汗部材１０が設けられている。該吸汗部材１０には、汗を吸収することができる布地であれば任意の布地を用いることができ、例えば、綿、ポリエステル、レーヨン等の繊維からなる布地を用いることができる。吸汗部材１０に用いる布地として、吸水性、速乾性、通気性の良い布地（生地）を用いることが好ましく、本実施例においては、前記本体部２と同じ、モダールクールプラスを使用した。
【００２７】
前記吸汗部材１０は、図２，３に示すように、略方形状に形成され、この吸汗部材１０の横幅は、前記収納部９内の横幅よりも短く設定されている。吸汗部材１０は、その上端部１０ａのみが、前記前側部材２ａの上部に対して縫着されて備えられており、この縫着部１０ａ以外の部分は縫着されていない。前記吸汗部材１０の本体部２との縫着部１０ａは、図２〜５に示すように、収納部９の上端９ｄよりも上方に位置し、前記吸汗部材１０の主体部が、収納部９内に出し入れ可能に収納できるようになっている。
【００２８】
なお、前記収納部９は、前記のように上方が開口するポケット状に形成することが好ましいが、前記吸汗部材１０の主体部を収納できる形状であれば、任意の形状とすることができ、たとえば、生地９ａの両側端部９ｂ，９ｂのみを前側部材２ａ対して縫着し、上方と下方が開口するように形成しても良い。
【００２９】
前記吸汗部材１０は、収納部９から取り出した使用状態において、使用者の胸部に位置し、しかも吸汗部材１０の下部が、使用者の胸の谷間に位置するようになっている。すなわち、該吸汗部材１０は、図２，４に示すように、これを収納部９から取り出して収納部９よりも内側に垂下させた場合に、その下部は、前記両カップ６と６との間の上部６ｃで、かつ、両カップ６、６の内側に位置し、すなわち、胸の谷間に位置するようになっている。該吸汗部材１０は、収納部９から取り出した使用状態において、少なくとも、その一部が両カップ６と６との間の上部６ｃで、かつ、両カップ６、６の内側に位置することができればよく、その形状は任意に設定するものである。また、吸汗部材１０として、本実施例においては、３枚の布地（生地）を重ね合わせて形成したが、その枚数は、使用する布地が汗を吸収できる量等に応じて任意に設定することができる。
【００３０】
本発明のハーフトップブラ（被服）１は、上記のような構造、構成により次のような作用、効果を発揮することができる。
【００３１】
吸汗部材１０を使用する際には、吸汗部材１０を収納部９から取り出して、図２，４に示すように、両カップ６，６の内側に位置するように垂らす。この際に、吸汗部材１０が、両カップ６と６との間の上部６ｃで、かつ、両カップ６、６の内側に位置することで、胸の谷間の汗を吸汗部材１０で吸収することができる。
【００３２】
また、吸汗部材１０を使用する際には、吸汗部材１０が、両カップ６、６の内側に位置することで、吸汗部材１０を、バストとカップ６，６とで挟持することができ、吸汗部材１０がバストと確実に接触して、胸の谷間の汗を吸収することができるとともに、吸汗部材１０の使用時には、吸汗部材１０が胸の谷間からずれることを抑制できる。また、吸汗部材１０を本体部２の内側に縫着して設けたことにより、前記従来技術の汗取りシートのように、吸汗部材１０が使用時に落下する虞がない。
【００３３】
また、吸汗部材１０を、収納部９内に出し入れ可能に収納できることにより、汗をかかないときや、吸汗部材１０が汗を多量に吸っているときなど吸汗部材１０が不要な場合には、吸汗部材１０を収納部９内に収納することで、吸汗部材１０が肌に当ることがなく、吸汗部材１０のゴワ付き感等がない。
【００３４】
また、収納部９を、本体部２の内側に設けたことにより、前記従来技術の汗取りシートように、汗取りシートを収納する袋等を別途用意する必要がない。
【００３５】
本体部２が、汗を吸収することができる布地で形成したことにより、この被服１で覆われた上半身で発生した汗を被服１全体で吸収することができる。また、汗の発生量が多い胸の谷間部や脇部に、吸汗部材１０と脇吸汗部材３を設けて、汗を吸収することで、快適な着心地とすることができる。
【００３６】
なお、上記実施例においては、吸汗部材１０と、収納部９と、脇吸汗部材３と、本体部２とを全て同じ布地で形成したが、夫々を、異なる布地で形成しても良い。
【００３７】
なお、上記実施例は、本発明の被服としてハーフトップブラに適用した例であるが、本体部２に対して、カップ６、吸汗部材１０、収納部９を前記実施例と同様に取り付けることができる被服であれば、任意の被服に対して、本発明を適用することができ、例えば、ブラ付きＴシャツ、ブラ付きインナー、ブラ付きキャミソール、ブラ付きタンクトップ、ブラ付きワンピース等の被服に適用することができる。
【符号の説明】
【００３８】
１  被服
２  本体部
３  脇吸汗部材
６  カップ
９  収納部
１０  吸汗部材
【図１】
0005489852.tif 000002
【図２】
0005489852.tif 000003
【図３】
0005489852.tif 000004
【図４】
0005489852.tif 000005
【図５】
0005489852.tif 000006